(57)【特許請求の範囲】
【請求項１】
制御マイコンと、前記制御マイコンに制御され、同調した受信周波数の電波を受信して検波し、前記検波した受信信号の電界強度を検出する受信回路とを備え、
前記受信回路は、前記検波した受信信号の電界強度を検知し予め設定された基準電界強度を超えた場合に受信信号を減衰させるＡＧＣ回路を有し、
前記制御マイコンは、前記受信周波数を順次変更して予め設定された最低電界強度以上の電界強度の周波数の信号を検索し、検索された周波数の放送局の電波を受信し、前記ＡＧＣ回路が予め設定された基準電界強度以上の周波数の信号を検知すると、前記最低電界強度を前記予め設定された最低電界強度より低い値に変更することを特徴とするラジオ受信機。
【発明の詳細な説明】
【０００１】
【発明の属する技術分野】
本発明は、受信状態の良い放送局を自動的に検索して受信する放送局自動検索機能を有するラジオ受信機に関する。
【０００２】
【従来の技術】
従来から、受信状態の良い放送局を自動的に検索し、良好な受信状態の放送局を受信する放送局自動検索機能付き電子同調ラジオ受信機が知られており、この種の電子同調ラジオ受信機の放送局自動検索動作は、図３のフローチャートに示すように、周波数ｆを受信中（ステップ３１）に、放送局自動検索の開始が要求されたかを判定しており（ステップ３２）、放送局自動検索の開始が要求されていなければ、周波数ｆの受信を続ける。
【０００３】
そして、放送局自動検索の開始が要求されると、出力する音声信号をミュート（ｍｕｔｅ）し（ステップ３３）、受信中の周波数ｆに予め設定された放送局自動検索時の周波数変更単位１ｓｔｅｐ分を加算し、加算した周波数を新たにｆとする（ステップ３４）。
【０００４】
次いで、加算した周波数ｆに同調し（ステップ３５）、同調周波数の電界強度Ｖを確認し、電界強度Ｖが予め設定された放送局自動検索時に良好な受信状態とを判定するのに必要な最低電界強度Ｖａ以上かを判定し（ステップ３６）、電界強度ＶがＶａより小さければ、ステップ３４に戻りさらに周波数を加算して処理を繰り返す。
【０００５】
電界強度ＶがＶａ以上であれば、同調周波数ｆのＩＦ（Intermediate Frequency：中間周波数）信号の有無を確認し（ステップ３７）、ＩＦ信号が無ければ、ステップ３４に戻りさらに周波数を加算して処理を繰り返す。
【０００６】
ＩＦ信号があった場合、音声信号のミュートを解除し、受信した周波数ｆの音声を出力する（ステップ３８）。このようにして、同調周波数の電界強度Ｖが最低電界強度Ｖａ以上である周波数の放送局を受信状態の良い放送局として検索していた。
【０００７】
【発明が解決しようとする課題】
しかし、このような従来の放送局自動検索機能付き電子同調ラジオ受信機では、放送局が近くに存在している地域などの、特に電波が強い強電界下の地域では、その強い電波以外の周波数の電波は、強い電波により抑圧を受けて、見かけ上の電界強度が下がるという受信特性により、実際は受信状態が良好な放送局でも、電界強度が低くて受信状態が悪い放送局と判断して同調できないことがある。
【０００８】
このような場合、強い電波の抑圧を受けなくなるまで良好な受信状態の放送局が自動検索で検索できないという問題があった。
【０００９】
本発明はこのような問題を解決するためになされたもので、電波環境に影響を受けずに良好な受信状態の放送局を検索することができるラジオ受信機を提供するものである。
【００１０】
【課題を解決するための手段】
本発明のラジオ受信機は、同調した受信周波数の電波を受信して検波し、前記検波した受信信号の電界強度を検出する受信回路と、予め設定された電界強度より強い電界強度の周波数の信号があることを検知する検知回路と、前記受信周波数を順次変更して予め設定された最低電界強度以上の電界強度の周波数の信号を検索し、検索された周波数の放送局の電波を受信する制御を行う放送局検索手段とを有し、前記放送局検索手段は、前記検知回路が予め設定された基準電界強度以上の周波数の信号があることを検知すると、前記最低電界強度を変更する構成を有している。この構成により、検知回路により強い電界強度の周波数の信号があることが検知されると、最低電界強度が変更されることとなる。
【００１１】
ここで、前記検知回路は、電界強度が予め設定された電界強度を超えたら受信信号を減衰させるＡＧＣ回路であることは好適である。
【００１２】
【発明の実施の形態】
以下、本発明の実施の形態について、図面を参照して説明する。
【００１３】
図１及び図２は本発明の一実施の形態のラジオ受信機の構成および処理手順を示す図である。
【００１４】
図１に示すように、本実施の形態のラジオ受信機は、放送局検索手段などを含みラジオ受信機の動作を制御する制御マイコン１１、制御マイコン１１により制御され、制御マイコン１１に指示された周波数に同調してそのＩＦ信号の有無や電界強度を制御マイコン１１に通知するとともに、受信した放送局の電波を検波して音声信号を出力する電子同調ラジオ受信回路（受信回路）１２、制御マイコン１１により制御され、電子同調ラジオ受信回路１２からの音声信号をミュートするＭｕｔｅ回路１３、電子同調ラジオ受信回路１２からの音声信号を増幅するアンプ１４、アンプ１４により増幅された音声信号を音に変換するスピーカ１５を備えている。なお、電子同調ラジオ受信回路１２は、予め設定された帯域（例えば、電子同調ラジオ受信回路１２が同調可能な周波数帯域）内の一部の周波数の電界強度を検知し予め設定された基準電界強度を超えたら受信信号を減衰させる動作をするＡＧＣ（Auto Gain Control）回路（検知回路）１２ａを有している。
【００１５】
このラジオ受信機は、放送局自動検索時に、制御マイコン１１でＡＧＣ回路１２ａが強電界の周波数を検知して動作しているかを判定し、ＡＧＣ回路が動作している（強電界下に居る）場合は、良好な受信状態とを判定するのに必要な最低電界強度を変更することを特徴としている。
【００１６】
具体的には、図２のフローチャートに示すように、制御マイコン１１は、周波数ｆを受信中（ステップ１１）に、放送局自動検索の開始が要求されたかを判定しており（ステップ１２）、放送局自動検索の開始が要求されていなければ、周波数ｆの受信を続ける。
【００１７】
放送局自動検索の開始が要求されると、出力する音声信号をミュート（ｍｕｔｅ）し（ステップ１３）、受信中の周波数ｆに予め設定された放送局自動検索時の周波数変更単位１ｓｔｅｐ分を加算し、加算した周波数を新たにｆとする（ステップ１４）。
【００１８】
次いで、加算した周波数ｆに同調し（ステップ１５）、放送局自動検索時に良好な受信状態とを判定するのに必要な最低電界強度Ｖａに通常状態時の値Ｖａ１を設定する（ステップ１６）。
【００１９】
次いで、制御マイコン１１は、電子同調ラジオ受信回路１２に対し、同調周波数が強電界でＡＧＣ回路１２ａが動作して入力信号を減衰しているかを問い合わせ（ステップ１７）、ＡＧＣ回路１２ａが動作していれば、最低電界強度Ｖａを強電界下に対応した値（Ｖａ１より低い値）Ｖａ２に変更する（ステップ１８）。
【００２０】
次いで、同調周波数の電界強度Ｖを確認し、電界強度Ｖが最低電界強度Ｖａ以上かを判定し（ステップ１９）、電界強度ＶがＶａより小さければ、ステップ１４に戻りさらに周波数を加算して処理を繰り返す。
【００２１】
電界強度ＶがＶａ以上であれば、同調周波数ｆのＩＦ信号の有無を確認し（ステップ２０）、ＩＦ信号が無ければ、ステップ１４に戻りさらに周波数を加算して処理を繰り返す。
【００２２】
ＩＦ信号があった場合、音声信号のミュートを解除し、受信した周波数ｆの音声を出力する（ステップ２１）。
【００２３】
以上のように、本実施の形態のラジオ受信機は、制御マイコン１１が放送局自動検索を行った際に、ＡＧＣ回路１２ａが動作しているかによって、良好な受信状態と判定するための最低電界強度Ｖａの値を変更しているので、強電界下でも良好な受信状態の放送局を自動検索することができる。
【００２４】
なお、本実施の形態においては、ＡＧＣ回路１２ａにより基準電界強度と比較して強電界下であるかの検知を行い、強電界下であることを検知すると最低電界強度Ｖａを変更したが、これに限定されるものではなく、例えば、ＡＧＣ回路の効果量（減衰量）を監視し、効果量（減衰量）の値により最低電界強度Ｖａを複数段階で切り替えるようにしてもかまわない。
【００２５】
【発明の効果】
以上説明したように、本発明によれば、放送局自動検索動作を行うときに強電界を検知して、受信状態が良好であると判定するための最低電界強度を強電界下に適した低い値に変更することにより、強電界下でも影響を受けずに良好な放送局を自動検索することができる。
【図面の簡単な説明】
【図１】本発明の一実施の形態のラジオ受信機を示す概略ブロック図
【図２】本発明の一実施の形態のラジオ受信機の放送局自動検索動作を示すフローチャート
【図３】従来の電子同調ラジオ受信機の放送局自動検索動作を示すフローチャート
【符号の説明】
１１  制御マイコン（放送局検索手段）
１２  電子同調ラジオ受信回路（受信回路）
１２ａ  ＡＧＣ回路（検知回路）
１３  Ｍｕｔｅ回路
１４  アンプ
１５  スピーカ
【図１】
0003929764.tif 000002
【図２】
0003929764.tif 000003
【図３】
0003929764.tif 000004